(57)【要約】【課題】環境弱者に対応した室内設定温度を簡素な操作で得ることができる空調操作装置を提供する。【解決手段】全ての部屋の室内設定温度を、同じ室内設定温度で一括設定するために操作される一括設定操作部１２と、環境弱者が居る部屋の室内設定温度を、一括設定操作部１２への操作による室内設定温度の一括設定から除外して、個別設定するために操作される個別設定操作部１３と、個別設定操作部１３に対する操作によって室内設定温度が個別設定された全ての部屋に関する情報と、その個別設定された部屋以外の全ての部屋に関する情報とを、表示する表示部１５とを備える。【選択図】図１
2019203615.tif 000002
【特許請求の範囲】
【請求項１】
全ての部屋の室内設定温度を、同じ室内設定温度で一括設定するために操作される一括設定操作部と、
環境弱者が居る部屋の室内設定温度を、前記一括設定操作部への操作による室内設定温度の一括設定から除外して、個別設定するために操作される個別設定操作部と、
前記個別設定操作部に対する操作によって室内設定温度が個別設定された全ての部屋に関する情報と、その個別設定された部屋以外の全ての部屋に関する情報とを、表示する表示部とを備える
ことを特徴とする空調操作装置。
【請求項２】
前記表示部は、
前記一括設定操作部を表示する一括設定操作用画面と、
前記個別設定操作部に対する操作によって室内設定温度が個別設定された部屋がある場合に、その個別設定された部屋に関する情報を、前記一括設定操作用画面において表示する個別設定操作完了表示領域とを備える
ことを特徴とする請求項１記載の空調操作装置。
【請求項３】
前記個別設定操作部は、
環境弱者の属性に応じて、当該環境弱者が居る部屋の室内設定温度を個別設定するために操作される
ことを特徴とする請求項１または請求項２記載の空調操作装置。
【請求項４】
前記個別設定操作部は、
環境弱者の年齢に応じて、当該環境弱者が居る部屋の室内設定温度を個別設定するために操作される
ことを特徴とする請求項１または請求項２記載の空調操作装置。
【発明の詳細な説明】
【技術分野】
【０００１】
この発明は、室内設定温度を設定するための空調操作装置に関する。
【背景技術】
【０００２】
従来、空調管理システムの１つの空調方式として、セントラル空調方式がある。このセントラル空調方式は、熱源装置で一元的に生成した冷温水を、各系統の空調機に向けて分配供給し、それぞれの空調機で生成した調和空気を、各エリア内に供給する方式である。このため、セントラル空調方式を採用した空調管理システムは、個別空調が設備的に困難となる大規模ビル等に多く適用されているが、近年、住宅にも適用され始めている。
【０００３】
そして、このような、セントラル空調方式を採用した住宅用空調管理システムは、例えば、特許文献１に開示されている。
【先行技術文献】
【特許文献】
【０００４】
【特許文献１】特開２０１５−３１５０６号公報
【発明の概要】
【発明が解決しようとする課題】
【０００５】
ここで、住宅とビルとでは、空調利用者の種類が大きく異なっている。住宅における空調利用者には、ビルにおける空調利用者とは異なり、子供及びお年寄り等の環境弱者が含まれている。従って、住宅用空調管理システムにセントラル空調方式を採用する場合には、環境弱者に対応した操作性が求められる。
【０００６】
この発明は、上記のような課題を解決するためになされたもので、環境弱者に対応した室内設定温度を簡素な操作で得ることができる空調操作装置を提供することを目的とする。
【課題を解決するための手段】
【０００７】
この発明に係る空調操作装置は、全ての部屋の室内設定温度を、同じ室内設定温度で一括設定するために操作される一括設定操作部と、環境弱者が居る部屋の室内設定温度を、一括設定操作部への操作による室内設定温度の一括設定から除外して、個別設定するために操作される個別設定操作部と、個別設定操作部に対する操作によって室内設定温度が個別設定された全ての部屋に関する情報と、その個別設定された部屋以外の全ての部屋に関する情報とを、表示する表示部とを備えることを特徴とするものである。
【発明の効果】
【０００８】
この発明によれば、環境弱者に対応した室内設定温度を簡素な操作で得ることができる。
【図面の簡単な説明】
【０００９】
【図１】この発明の実施の形態１に係る空調操作装置の構成を示したブロック図である。
【図２】一括設定操作用画面を示した図である。
【図３】個別設定操作用画面を示した図である
【図４】個別設定確認用画面を示した図である。
【図５】個別設定操作完了後における一括設定操作用画面を示した図である。
【発明を実施するための形態】
【００１０】
以下、この発明の実施の形態について図面を参照しながら詳細に説明する。
【００１１】
先ず始めに、本発明の着眼点について説明する。
集中管理を基本とするセントラル空調では、室内設定温度を一括設定（リセットを含む）する場合がある。一般的に、住宅では、乳幼児及びお年寄り等の環境弱者が過ごす場所（睡眠をとる部屋等）を、実質的に専用部屋（個室）として固定している。このため、部屋ごとに環境弱者の存在有無を予め特定して管理しても、多くの状況において、妥当な管理とすることができる。
そこで、出願人は、部屋ごとに室内設定温度を優先的に設定可能とし、環境弱者が居る特定の部屋に対して、室内設定温度の一括設定から除外するガードをかけるようにした。このとき、ガードがかけられた特定の部屋については、一括管理画面で確認できることが好適である。
【００１２】
実施の形態１．
図１は、実施の形態１に係る空調操作装置の構成を示したブロック図である。
【００１３】
図１に示した空調操作装置１は、例えば、住宅の各部屋に設定された空調機を１つの構成で操作するリモコン及び端末等を想定しており、セントラル空調方式を採用した住宅用空調管理システムに適用されるものである。そして、図１に示すように、空調操作装置１は、空調操作機能部１１、一括設定操作部１２、個別設定操作部１３、設定実行部１４、及び、表示部１５を備えている。
【００１４】
空調操作機能部１１は、全ての部屋に設置されている空調機の運転を操作するものであって、例えば、空調機に対して、ＯＮとＯＦＦとの間の切り替え、風量変更、及び、温度変更等の操作を行う。
【００１５】
一括設定操作部１２は、全ての部屋の室内設定温度を、同じ室内設定温度で一括設定するために、居住者によって操作されるものである。
【００１６】
個別設定操作部１３は、環境弱者が居る部屋の室内設定温度を、一括設定操作部１２への操作による室内設定温度の一括設定から除外して、個別設定するために、居住者によって操作されるものである。これにより、空調操作装置１は、環境弱者が居る部屋ごとに、その環境弱者に対応した室内設定温度を設定することができるので、環境弱者は、快適に過ごすことができる。
【００１７】
但し、環境弱者は、例えば、乳幼児、子供、及び、お年寄り等の居住者であって、自身が好まない室内設定温度に対する適応能力が比較的低い居住者となっている。
ら守るものである。
【００１８】
設定実行部１４は、居住者が一括設定操作部１２を操作したときに、空調操作機能部１１に対して、全ての部屋の室内設定温度が同じ室内設定温度で一括設定されるような、実行指令を出力するものである。また、設定実行部１４は、居住者が個別設定操作部１３を操作したときに、空調操作機能部１１に対して、環境弱者が居る部屋の室内設定温度が、一括設定操作部１２への操作による室内設定温度の一括設定から除外されて、個別設定されるような、実行指令を出力するものである。
【００１９】
表示部１５は、一括設定操作部１２に対する操作によって室内設定温度が一括設定された全ての部屋に関する情報、及び、個別設定操作部１３に対する操作によって室内設定温度が個別設定された全ての部屋に関する情報を、一括管理できるように表示するものである。
【００２０】
具体的には、表示部１５は、個別設定操作部１３に対する操作によって室内設定温度が個別設定された全ての部屋に関する情報と、その個別設定された部屋以外の全ての部屋に関する情報とに分けて表示する。なお、部屋に関する情報とは、例えば、部屋番号、部屋名称、室内設定温度、実際の室内温度及び湿度等である。
【００２１】
また、表示部１５は、一括設定操作部１２及び個別設定操作部１３を操作画面に表示させるものである。そこで、次に、表示部１５が表示する操作画面について、図２から図５を用いて詳細に説明する。図２は、一括設定操作用画面を示した図である。図３は、個別設定操作用画面を示した図である。図４は、個別設定確認用画面を示した図である。図５は、個別設定操作完了後における一括設定操作用画面を示した図である。
【００２２】
図２から図５に示すように、表示部１５は、一括設定操作用画面１５ａ、個別設定操作用画面１５ｂ、及び、個別設定確認用画面１５ｃを備えており、そのうち、いずれか１つの操作画面に切り替え可能となっている。
【００２３】
図２に示すように、一括設定操作用画面１５ａは、一括設定操作部１２に対する操作に応じて、全ての部屋の室内設定温度を、同じ室内設定温度で一括設定するための操作画面である。この一括設定操作用画面１５ａは、運転モード選択ボタン２１、運転モード表示領域２２、設定切り替えボタン２３、一括設定温度表示領域２４、及び、一括設定操作部１２を表示するものである。
【００２４】
ここで、一括設定操作用画面１５ａに表示された一括設定操作部１２は、表示操作ボタンとして構成されている。即ち、居住者は、一括設定操作部１２を押すことによって、全ての部屋の室内設定温度を、同じ室内設定温度で一括して増減させることができる。
【００２５】
運転モード選択ボタン２１は、運転モードを選択するときに使用するボタンである。この運転モード選択ボタン２１によって選択できる運転モードは、例えば、冷房、暖房、及び、送風等の運転モードである。
【００２６】
運転モード表示領域２２は、運転モード選択ボタン２１によって選択された運転モードを表示する領域である。なお、図２に示した一括設定操作用画面１５ａは、運転モード選択ボタン２１によって「冷房」が選択された場合を示しており、運転モード表示領域２２は、「冷房」と表示している。
【００２７】
設定切り替えボタン２３は、表示部１５の操作画面を、一括設定操作用画面１５ａ及び個別設定操作用画面１５ｂのいずれか一方から、個別設定操作用画面１５ｂ及び一括設定操作用画面１５ａのいずれか他方に切り替えるためのボタンである。
【００２８】
一括設定温度表示領域２４は、一括設定操作部１２に対する操作に応じた室内設定温度を、表示する領域である。なお、図２に示した一括設定温度表示領域２４は、室内設定温度に加えて、運転モード選択ボタン２１によって選択した運転モードについても、表示可能となっている。即ち、居住者は、一括設定操作部１２を操作するときに、全ての部屋の室内設定温度を、一括設定温度表示領域２４で確認しながら、設定することができる。
【００２９】
図３に示すように、個別設定操作用画面１５ｂは、個別設定操作部１３に対する操作に応じて、環境弱者が居る部屋の室内設定温度を、一括設定操作部１２への操作による室内設定温度の一括設定から除外して、個別設定するための操作画面である。この個別設定操作用画面１５ｂは、運転モード選択ボタン２１、運転モード表示領域２２、設定切り替えボタン２３、個別設定温度表示領域２５、部屋選択ボタン２６、及び、個別設定操作部１３を表示するものである。
【００３０】
ここで、個別設定操作用画面１５ｂに表示された個別設定操作部１３は、表示操作ボタンとして構成されている。即ち、居住者は、個別設定操作部１３を押すことによって、環境弱者が居る部屋の室内設定温度を、一括設定操作部１２への操作による室内設定温度の一括設定から除外して、個別に増減させることができる。
【００３１】
個別設定温度表示領域２５は、個別設定操作部１３に対する操作に応じた室内設定温度を、表示する領域である。なお、図３に示した個別設定温度表示領域２５は、室内設定温度に加えて、後述する部屋選択ボタン２６によって選択した部屋の番号についても、表示可能となっている。即ち、居住者は、個別設定操作部１３を操作するときに、環境弱者が居る部屋の室内設定温度を、個別設定温度表示領域２５で確認しながら、設定することができる。
【００３２】
部屋選択ボタン２６は、全ての部屋の中から、環境弱者が居る部屋を、１つずつ選択するときに使用するボタンである。なお、図３に示した部屋選択ボタン２６は、部屋番号に加えて、その部屋の室内設定温度を表示可能となっている。
【００３３】
即ち、上述した個別設定温度表示領域２５は、これに対応した部屋選択ボタン２６が押されることによって、当該部屋選択ボタン２６に代わって表示されるものである。また、個別設定温度表示領域２５は、当該個別設定温度表示領域２５内に設けられた復帰ボタンが押されることによって、部屋選択ボタン２６に復帰する。
【００３４】
図４に示すように、個別設定確認用画面１５ｃは、個別設定操作用画面１５ｂに続く操作画面であって、個別設定操作完了後において、環境弱者が居る部屋と、当該部屋の室内設定温度とを確認するための操作画面である。この個別設定確認用画面１５ｃは、運転モード選択ボタン２１、運転モード表示領域２２、設定切り替えボタン２３、及び、部屋選択ボタン２６を表示するものである。
【００３５】
ここで、個別設定確認用画面１５ｃに表示された部屋選択ボタン２６は、施錠マーク２７を表示可能となっている。この施錠マーク２７は、室内設定温度が個別に設定された部屋に対応して表示されるものである。即ち、施錠マーク２７が表示された部屋選択ボタン２６に対応する部屋の室内設定温度は、一括設定操作部１２への操作による室内設定温度の一括設定から除外されるようなガードが掛けられている。
【００３６】
また、図５に示すように、個別設定操作完了後における一括設定操作用画面１５ａは、個別設定操作完了表示領域２８を表示可能となっている。この個別設定操作完了表示領域２８は、個別設定操作完了後の一括設定操作用画面１５ａにおいて、室内設定温度が個別設定された部屋に関する情報、及び、施錠マーク２７を表示する領域である。
【００３７】
なお、図５に示した個別設定操作完了表示領域２８は、室内設定温度が個別設定された部屋に関する情報として、部屋番号を表示している。これにより、居住者は、一括設定操作用画面１５ａに切り替えた場合であっても、環境弱者が居る部屋を常に確認することができる。
【００３８】
更に、上述した実施の形態１においては、個別設定操作部１３に対する操作は、環境弱者の存在有無に応じて、当該環境弱者が居る部屋の室内設定温度を個別設定するものとしているが、環境弱者を分類しても、室内設定温度の個別設定に対応することができる。
【００３９】
即ち、乳幼児及びお年寄り等の人間属性に関する入力操作を行うと共に、その人間属性に対して推奨される室内設定温度が自動設定されるようにすれば、室内設定温度に対するガードのかけ違いを防止することができる。また、「１歳」及び「８０歳」等の年齢に関する入力操作を行うと共に、その年齢に対して推奨される室内設定温度が自動設定されるようにすれば、室内設定温度に対するガードのかけ違いを防止することができる。
【００４０】
先ず、個別設定操作部１３に対する操作は、環境弱者の属性に応じて、室内設定温度を個別設定することができる。具体的には、個別設定操作部１３は、乳幼児、子供、及び、お年寄り等の環境弱者の属性に対応した属性設定ボタンを備えると共に、各属性に対応した室内設定温度を予め記憶している。そして、個別設定操作部１３は、部屋選択ボタン２６及び属性設定ボタンに対する連続操作によって、その選択された部屋の室内設定温度を環境弱者の属性に応じて決定する。これにより、空調操作装置１は、環境弱者の属性ごとに、室内設定温度の細分化を図ることができる。
【００４１】
また、個別設定操作部１３に対する操作は、環境弱者の年齢に応じて、室内設定温度を個別設定することができる。具体的には、個別設定操作部１３は、環境弱者の年齢幅に対応した年齢設定ボタンを備えると共に、各年齢幅に対応した室内設定温度を予め記憶している。そして、個別設定操作部１３は、部屋選択ボタン２６及び年齢設定ボタンに対する連続操作によって、その選択された部屋の室内設定温度を環境弱者の年齢幅に応じて決定する。これにより、空調操作装置１は、環境弱者の年齢幅ごとに、室内設定温度の細分化を図ることができる。
【００４２】
具体的には、個別設定操作部１３は、「１歳」及び「８０歳」等の年齢に対応した指定ボタンを備えている。そして、その指定ボタンに対する操作に基づいて指定された部屋は、一括設定された室内設定温度よりも快適側となる室内設定温度に個別設定される。このとき、下記に示すように、指定された部屋における快適側へのガード度合いは、年齢に応じて、段階的に変化されても構わない。
【００４３】
（１）環境弱者の年齢が３歳以下の場合には、室内設定温度を完全ガード対象（一括設定実行時に、室内設定温度を一括設定から完全除外）とする。
（２）環境弱者の年齢が４歳から１５歳までの間の場合には、室内設定温度を準ガード対象（一括設定実行時に、室内設定温度を一括設定値と個別設定値との中間値に設定）とする。
（３）環境弱者の年齢が１６歳から５９歳までの間の場合には、室内設定温度を非ガード対象（一括設定実行時に、室内設定温度を一括設定値に設定）とする。
（４）環境弱者の年齢が６０歳から６９歳までの間の場合には、室内設定温度を準ガード対象（一括設定実行時に、室内設定温度を一括設定値と個別設定値との中間値に設定）とする。
（５）環境弱者の年齢が７０歳以上の場合には、室内設定温度を完全ガード対象（一括設定実行時に、室内設定温度を一括設定から完全除外）とする。
【００４４】
但し、上述したように、個別設定操作部１３は、環境弱者が居る部屋の室内設定温度を、一括設定操作部１２への操作による室内設定温度の一括設定から除外して、個別設定するために操作されるものであるが、その個別設定操作部１３に対する操作は、一括設定操作部１２に対する操作前及び操作後のいずれかであっても構わない。
【００４５】
即ち、空調操作装置１は、個別設定操作部１３に対する操作によって、環境弱者が居る部屋の室内設定温度を個別設定した後、一括設定操作部１２に対する操作によって、その個別設定された部屋以外の全ての部屋の室内設定温度を、同じ室内設定温度で一括設定することができる。
【００４６】
また、空調操作装置１は、一括設定操作部１２に対する操作によって、全ての部屋の室内設定温度を、同じ室内設定温度で一括設定した後、個別設定操作部１３に対する操作によって、環境弱者が居る部屋の室内設定温度を個別設定することができる。
【００４７】
以上より、実施の形態１に係る空調操作装置１は、全ての部屋の室内設定温度を、同じ室内設定温度で一括設定するために操作される一括設定操作部１２と、環境弱者が居る部屋の室内設定温度を、一括設定操作部１２への操作による室内設定温度の一括設定から除外して、個別設定するために操作される個別設定操作部１３と、室内設定温度が個別設定された全ての部屋に関する情報と、その個別設定された部屋以外の全ての部屋に関する情報とを、表示する表示部１５を備えている。これにより、空調操作装置１は、環境弱者に対応した室内設定温度を簡素な操作で得ることができる。
【００４８】
また、空調操作装置１は、一括設定操作部１２に、室内設定温度が個別設定された部屋に関する情報を表示する個別設定操作完了表示領域２８を備えている。これにより、居住者は、環境弱者が居る部屋及びその室内設定温度を常に確認することができる。
【００４９】
更に、空調操作装置１は、個別設定操作部１３が、環境弱者の属性または年齢に応じて、室内設定温度を個別設定可能としている。これにより、空調操作装置１は、環境弱者の属性または年齢ごとに、室内設定温度の細分化を図ることができるので、その環境弱者の快適度を更に向上させることができる。
【００５０】
なお、本願発明は、その発明の範囲内において、実施の形態の任意の構成要素の変形、もしくは、実施の形態の任意の構成要素の省略が可能である。
【符号の説明】
【００５１】
１  空調操作装置
１１  空調操作機能部
１２  一括設定操作部
１３  個別設定操作部
１４  設定実行部
１５  表示部
１５ａ  一括設定操作用画面
１５ｂ  個別設定操作用画面
１５ｃ  個別設定確認用画面
２１  運転モード選択ボタン
２２  運転モード表示領域
２３  設定切り替えボタン
２４  一括設定温度表示領域
２５  個別設定温度表示領域
２６  部屋選択ボタン
２７  施錠マーク
２８  個別設定操作完了表示領域
【図１】
2019203615.tif 000003
【図２】
2019203615.tif 000004
【図３】
2019203615.tif 000005
【図４】
2019203615.tif 000006
【図５】
2019203615.tif 000007